(57)【特許請求の範囲】
【請求項１】
計時信号を出力する計時回路と、
該計時信号に基づき表示を行う表示手段と、複数の機能を選択する機能選択回路と、
該機能を選択するための外部操作部材を有する電波修正時計において、
該機能状態として、通常時計状態と、
前回受信結果を前記表示手段にて表示する受信モニタ状態と、
前記計時回路を修正するために受信局からの時刻・カレンダ情報を受信する受信状態と、を有し、
前記機能選択回路は、
通常時計状態における前記外部操作部材の操作により前記受信モニタ状態に移行させ、
前記外部操作部材の操作が継続している場合に継続時間をカウントし、
該カウント時間が所定値に達した場合に前記受信状態に移行させる
ことを特徴とする電波修正時計。
【請求項２】
該機能状態として、前記表示手段の基準位置を表示する基準位置確認状態をさらに有し、前記受信状態において、前記外部操作部材の操作が継続している場合に継続時間をカウントし、前記カウント時間が所定値に達した場合に、前記基準位置確認状態に移行する
ことを特徴とする請求項１に記載の電波修正時計。
【請求項３】
前記受信モニタ状態、前記受信状態、前記基準位置確認状態のいずれかの状態において、前記外部操作部材の操作を中断した後の再度の前記外部操作部材の操作により、
前記通常時計状態に移行する
ことを特徴とする請求項１ないし２のいずれか１つに記載の電波修正時計。
【発明の詳細な説明】
【０００１】
【発明の属する技術分野】
本発明は電子時計に関する。
【０００２】
【従来の技術】
従来より複数の機能を備えた電子時計が製品化されており、その機能選択方法は外部操作部材の操作毎に機能を順次選択している。
【０００３】
【発明が解決しようとする課題】
しかしながら上記構成で選択したい機能が次でない時は、外部操作部材を数回操作する必要があり、機能を確認しながら外部操作部材を操作し、視覚と触覚、両方に注意しなければならない。また、注意を怠ると選択したい機能を見過ごしてしまう場合がある。本発明は機能選択時に外部操作部材を押し続けることにより機能を順次選択することにより、操作を簡便にし，視覚だけに注意を向けるようにし、操作性を高めることを目的とするものである。
【０００４】
【課題を解決するための手段】
上記目的を達成するための本発明は次の様な構成としている。
計時信号を出力する計時回路と、
該計時信号に基づき表示を行う表示手段と、複数の機能を選択する機能選択回路と、
該機能を選択するための外部操作部材を有する電波修正時計において、
該機能状態として、通常時計状態と、
前回受信結果を前記表示手段にて表示する受信モニタ状態と、
前記計時回路を修正するために受信局からの時刻・カレンダ情報を受信する受信状態と、を有し、
前記機能選択回路は、
通常時計状態における前記外部操作部材の操作により前記受信モニタ状態に移行させ、
前記外部操作部材の操作が継続している場合に継続時間をカウントし、
該カウント時間が所定値に達した場合に前記受信状態に移行させることを特徴とする。
【０００５】
さらに、該機能状態として、前記表示手段の基準位置を表示する基準位置確認状態をさらに有し、前記受信状態において、前記外部操作部材の操作が継続している場合に継続時間をカウントし、前記カウント時間が所定値に達した場合に、前記基準位置確認状態に移行することを特徴とする。
【０００６】
さらに、前記受信モニタ状態、前記受信状態、前記基準位置確認状態のいずれかの状態において、
前記外部操作部材の操作を中断した後の再度の前記外部操作部材の操作により、
前記通常時計状態に移行することを特徴とする。
【００１０】
【発明の実施の形態】
以下図面に基づき本発明の一実施形態電波修正機能付電子時計を例にとって説明する。図１は本発明における電波修正機能付指針式電子時計の外観図１である。５０は電波修正機能付指針式電子時計本体、２８は指針式電子時計５０に備えられた１２時間制の時刻、日を表示する運針表示であり、２８ｅの文字板、２８ａの秒針、２８ｂの分針、２８ｃの時針、２８ｄの日板で構成され図中の表示状態では２７日、１０時０９分３５秒を表示している。１３は１段目引き出し位置でカレンダモニタ表示、回転操作することによりカレンダ修正を行い、更に、２段目引き出し位置で回転操作することにより時刻修正を行うためのリューズである。１３ａは機能等を選択するためのプッシュボタンである。１３ｂは受信局を選択するためのプッシュボタンである。
【００１１】
図２は本発明における一実施例である指針式電子時計の回路ブロック線図である。１は水晶振動子を基準信号とする発振回路を含む発振器であり、２は発振器１からの発振信号を入力し、分周信号Ｓ２及び１秒信号１Ｓを出力する分周回路である。３は秒カウンタであり、分周回路２からの１秒信号１Ｓを入力し、秒計時情報Ｓ３及び１分信号１Ｍを出力する。又、該秒カウンタ３は後述する受信回路３０で受信正常時に出力される受信データＳ３００が書込まれる。更に、該秒カウンタ３は後述するリューズ１３の２段引き出し操作で出力されるリューズ２段位置信号Ｓ１０２で００秒に初期化され、１秒信号１Ｓの入力を禁止する。このとき３０秒以上であれば１分信号１Ｍを出力する。
【００１２】
４は分カウンタであり、秒カウンタ３からの１分信号１Ｍ又は後述する分修正信号Ｓ１４１を入力し、分計時情報Ｓ４及び１時間信号１Ｈを出力する。５は時カウンタであり、分カウンタ４からの１時間信号１Ｈ又は後述する時日修正信号Ｓ１５１を入力し、時計時情報Ｓ５、１日信号１Ｄ及び任意時刻にタイミング信号Ｓ５１を出力する。６は日カウンタであり、時カウンタ５からの１日信号１Ｄを入力して日計時情報Ｓ６及び１月信号１Ｔを出力する。７は月・経年（４進）カウンタであり、日カウンタ６からの１月信号１Ｔ又は後述する月年修正信号Ｓ１５０を入力し、月・年計時情報Ｓ７を出力する。前記分カウンタ４、時カウンタ５、日カウンタ６、月・年カウンタ７も前記秒カウンタ３同様に後述する受信回路３３からの受信データＳ３００が書込まれる。
【００１３】
１３０は外部操作部材に連動して動作するスイッチ群であり、リューズ１３の１段引き出し位置に連動して作動するスイッチＳＷａ、２段引き出し位置に連動して動作するスイッチＳＷｂ、正回転操作で作動するスイッチＳＷｃ、逆回転操作で作動するスイッチＳＷｄ、プッシュボタン１３ａの操作により作動するスイッチＳＷｅ、プッシュボタン１３ｂの操作により作動するスイッチＳＷｆで構成されている。１０はスイッチ入力回路であり、前述の各スイッチを入力とし、リューズ１３の通常位置信号Ｓ１００、１段位置信号Ｓ１０１、２段位置信号Ｓ１０２、正転操作信号Ｓ１０３、逆転操作信号Ｓ１０４、プッシュボタン１３ａ操作信号Ｓ１０５、プッシュボタン１３ｂ操作信号Ｓ１０６を出力する。
【００１４】
９は修正信号発生回路であり、スイッチ入力回路１０のリューズ１３通常位置信号Ｓ１００、１段位置信号Ｓ１０１、２段位置信号Ｓ１０２、正転操作信号Ｓ１０３、逆転操作信号Ｓ１０４、プッシュボタン１３ａ操作信号Ｓ１０５、プッシュボタン１３ｂ操作信号Ｓ１０６を入力し、リューズ通常位置状態のプッシュボタン１３ａの操作で機能を選択する機能選択信号Ｓ９０、プッシュボタン１３ｂの操作で受信局を選択する受信局選択信号Ｓ９４、リューズ１段位置の回転操作で修正信号Ｓ９２、プッシュボタン１３ａの操作でカレンダ・時差選択信号Ｓ９３、リューズ２段位置の回転操作で修正信号Ｓ９１をそれぞれ出力する。
【００１５】
８は本発明の中心部分である機能選択回路であり、詳細な構成、動作は後述するのでここでは簡単に説明する。機能選択回路８は機能選択信号Ｓ９０、分周信号Ｓ２をし、通常時計状態のプッシュボタン１３ａの押し操作及び押し続け操作で通常時計状態から受信モニタ機能、強制受信機能、０位置確認機能を選択する受信モニタ信号Ｓ８１、強制受信信号Ｓ８０、０位置確認信号Ｓ８２を出力する。各機能が選択されている時のプッシュボタン１３ａの操作で通常時計状態へ復帰する。又各機能選択時に分周信号Ｓ２がカウントされ、一定時間経過すると、自動的に通常時計状態に復帰する。
【００１６】
３０は受信回路であり、強制受信信号Ｓ８０、タイミング信号Ｓ５１、ＰＳ信号Ｓ１９を入力する受信制御回路３１の制御信号Ｓ３１で動作／非動作が制御される。該受信回路３０は時刻・カレンダ情報を受信し、受信データの正誤率から受信レベル及び正誤判定を行い、判定信号Ｓ３０１を出力するとともに正常受信時に受信データＳ３００を出力する。尚、受信回路３０は複数の受信局からの電波を受信できるように構成されており、リューズ通常位置状態のプッシュボタン１３ｂ操作で出力する受信局選択信号Ｓ９４により受信局を切換選択する。
【００１７】
１１は針位置変換回路Ａであり、秒カウンタ３の秒計時情報Ｓ３、分カウンタ４の分計時情報Ｓ４、月・年（４進）カウンタ７の月・年計時情報Ｓ７及び受信回路３０の判定信号Ｓ３０１を入力し、カレンダ・時差選択信号Ｓ９３、受信モニタ信号Ｓ８０により選択された情報を針位置に変換した秒分針変換情報Ｓ１１を出力する。又、針位置変換回路Ａ１１は受信モード信号Ｓ８１、受信局選択信号Ｓ９４により秒針２８ａを所定の位置へ駆動する情報を秒分針変換情報Ｓ１１に出力し、０位置確認信号Ｓ８２が入力されると、基準位置情報である００分００秒の秒分針変換情報Ｓ１１を出力する。更に、ＰＳ信号Ｓ１９により針位置の変換を停止する。
１２は針位置変換回路Ｂであり、分カウンタ４の分計時情報Ｓ４、時カウンタ５の時計時情報Ｓ５、日カウンタ６の日計時情報Ｓ６を入力し、針位置に変換した時針日板変換情報Ｓ１２を出力する。又、針位置変換回路Ｂ１２は０位置確認信号Ｓ８２が入力されると、基準位置情報である１日０時の時針日板変換情報Ｓ１２を出力する。更に、ＰＳ信号Ｓ１９により針位置の変換を１時間毎に行う。
【００１８】
１８は光検出回路であり、ソーラセル１７に光が当たると光検出信号Ｓ１８に“Ｈ”を出力し、暗い時に“Ｌ”を出力する。１９は暗時間カウンタであり、秒カウンタ３の1分信号１Ｍを入力し、光検出回路１８が暗い状態を検出すると計時を開始し、一定時間（例えば２時間）連続して暗い状態が継続するとＰＳ信号Ｓ１９に“Ｌ”を出力し、針位置変換回路Ａ１１、針位置変換回路Ｂ１２の針位置変換を停止することにより、後述する秒針２８ａ、分針２８ｂ、時針２８ｃ、日板２８ｄの運針を停止する。その後、暗い状態を継続していると１時間毎に一定期間、ＰＳ信号Ｓ１９に“Ｈ”を出力し、針位置変換回路Ａ１１、針位置変換回路Ｂ１２の針位置変換を行う。
【００１９】
３２は基準位置設定回路であり、電池投入等で全体を初期化する（図示は省略）所謂システムリセット直後、秒針２８ａ、分針２８ｂ、時針２６ｃ、日板２８ｄを基準位置に合わせるモードに設定し、基準位置合わせ信号Ｓ３２に初期値として“Ｈ”を出力する。該基準位置合わせ信号Ｓ３２は０位置確認選択信号Ｓ８２とともにＯＲ回路で構成される制御回路２９に入力されゲート制御信号Ｓ２９を出力する。基準位置合わせ信号Ｓ３２が“Ｈ”の時、秒カウンタ３は分周回路２から出力される１秒信号１Ｓの入力を禁止する。これらは図示すると煩雑になるので省略する。同様に分カウンタ４は秒カウンタ３から出力される１秒信号１Ｓの入力を、日カウンタ６は時カウンタ５から出力される１日信号１Ｄの入力を、月・年カウンタ７は日カウンタ６から出力される１月信号１Ｔの入力をそれぞれ禁止する。
【００２０】
前記基準位置設定回路３２は、リューズ２段位置、１段位置で各々リューズ正回転操作又は逆転操作で、各針を基準位置に合わせた後にリューズを通常位置に押込んだ時にリセットされ基準位置合わせ信号Ｓ３２を“Ｌ”にする。同時に秒カウンタ３、分カウンタ４、時カウンタ５、日カウンタ６、月・年（４進）カウンタ７を初期化する（図示は省略）。
前記制御回路２９は０位置確認信号Ｓ８２が入力された時も、該基準位置合わせ信号Ｓ３２が“Ｈ”の時同様に秒針２８ａ、分針２８ｂ、時針２６ｃ、日板２８ｄを基準位置に合わせるためのゲート制御信号Ｓ２９を“Ｈ”に出力する。ただし、各カウンタの動作は継続される。
【００２１】
１４は分修正信号発生回路であり、正逆転修正信号Ｓ９１を入力し、ゲート制御信号Ｓ２９が“Ｌ”の時に、リューズ２段位置の回転操作で1分単位の分修正信号Ｓ１４１を出力し、“Ｈ”の時は秒針２８ａ、分針２８ｂを基準位置に合わせるために１パルス単位の分秒針基準修正信号Ｓ１４０を出力する。１５は時月修正信号発生回路であり、正逆転修正信号Ｓ９２を入力し、ゲート制御信号Ｓ２９が“Ｌ”の時に動作し、カレンダ・時差選択信号Ｓ９３により月年修正信号１５０又は時日修正信号１５１をリューズ１段位置のリューズ正逆回転操作で出力する。１６は基準位置合わせ信号発生回路であり、正逆転修正信号Ｓ９２を入力し、ゲート制御信号Ｓ２９が“Ｈ”の時に、時針２６ｃ、日板２８ｄを基準位置に合わせるために１パルス単位の時日基準修正信号Ｓ１６を出力する。
【００２２】
２０は駆動信号発生回路Ａであり、記憶回路と比較回路で構成され、前回記憶された分秒針変換情報Ｓ１１（現在針位置）と新たな分秒針変換情報Ｓ１１（目標針位置）を比較算出し、目標針位置までの差分パルス数を駆動信号Ｓ２０として出力する。該駆動信号Ｓ２０は目標針位置迄の到達時間短縮のため正転信号又は逆転信号が選択される。ただし、機能選択回路８からの受信モニタ信号Ｓ８１、強制受信信号Ｓ８０が入力された時は、該駆動信号Ｓ２０に正転信号を出力し、現在時刻よりも表示を進めておき、通常時計状態に復帰した時に最小限の駆動パルスで現在時刻表示を行うように工夫してある。又、各針を基準位置に合わせるモードが設定された時は、１パルス単位の分秒針基準修正信号Ｓ１４０を入力し、１パルス単位の駆動信号Ｓ２０を出力する。
２１は交互に極性の異なる駆動パルスを出力する変換機駆動回路Ａであり、駆動信号発生回路Ａ２０からの駆動信号Ｓ２０に応じた駆動パルスＳ２１を出力する。２２は変換機駆動回路Ａ２１からの交互駆動パルスにより駆動されるステップモータ、２３はスッテプモータ２２に噛合わされる減速輪列系Ａであり、該減速輪列系２３Ａの一部を構成する秒車、分車に支持された秒針２８ａ、分針２８ｂで分秒、経年・月、更には受信関係の表示を行う。
【００２３】
２４は駆動信号発生回路Ｂであり、記憶回路と比較回路で構成され、前回記憶された時日針変換情報Ｓ１２（現在針位置）と新たな時日針変換情報Ｓ１２（目標針位置）を比較算出し、目標針位置までの差分パルス数を駆動信号Ｓ２４として出力する。該駆動信号Ｓ２４は目標針位置迄の到達時間短縮のため正転信号又は逆転信号が選択される。又、各針を基準位置に合わせるモードが設定された時は、１パルス単位の時日基準修正信号Ｓ１６を入力し、１パルス単位の駆動信号Ｓ２４を出力する。更にカレンダ・時差選択信号Ｓ９を入力し、時差機能が選択された時に選択されたことを知らせるための時針２８ｃを扇駆動する駆動信号Ｓ２４を出力する。
２５は交互に極性の異なる駆動パルスを出力する変換機駆動回路Ｂであり、駆動信号発生回路Ｂ２４からの駆動信号Ｓ２４に応じた駆動パルスＳ２５を出力する。２６は変換機駆動回路Ｂ２４からの交互駆動パルスにより駆動されるステップモータ、２７はスッテプモータ２６に噛合わされる減速輪列系Ｂであり、該減速輪列系Ｂ２７の一部を構成する時車、日車に支持された時針２８ｃ、日板２８ｄで時、日の表示を行う。
【００２４】
次に上記構成における指針式電子時計の動作を図２に基づいて説明する。先ずシステムリセット直後に以下の手順で基準位置合わせ操作を行う。
１．リューズ２段引き出し位置にし、リューズ回転操作で秒針２８ａ、分針２８ｂを１２時位置に合わせる。
２．リューズ１段引き出し位置に戻し、リューズ回転操作で時針２８ｃを１２時位置、日板２８ｄを１日位置に合わせる。
３．リューズを通常位置（０段）に戻し、基準位置合わせを終了する。
上記動作を説明すると、システムリセット直後、基準位置設定回路３２の基準位置設定信号Ｓ３２は“Ｈ”であり、制御回路２９はゲート制御信号Ｓ２９に“Ｈ”を出力する。  この状態で、リューズ２段引き出し位置でリューズ回転操作を行うと、スイッチ入力回路１０はリューズ２段位置信号Ｓ１０２、回転操作で正転操作信号Ｓ１０３又は逆転操作信号Ｓ１０４を出力し、修正信号発生回路９は正逆転修正信号Ｓ９１を出力する。該正逆転修正信号Ｓ９１を入力する分修正信号発生回路１４は制御信号Ｓ２９が“Ｈ”であるため１パルス単位の分秒針基準修正信号Ｓ１４０を出力する。
分秒針基準修正信号Ｓ１４０を入力する駆動信号発生回路Ａ２０は１パルス単位の駆動信号Ｓ２０を出力する。変換機駆動回路Ａ２１の駆動パルスＳ２１によりステップモータ２２が駆動され、減速輪列系Ａ２３の秒針２８ａ、分針２８ｂを１秒単位で修正する。引き続きリューズ回転操作を行い、秒針２８ａ、分針２８ｂを基準位置である１２時位置に合わせる。
【００２５】
次に時針２８ｃを１２時位置、日板２８ｄを１日位置に合わせる時の動作を説明する。秒針２８ａ、分針２８ｂを基準位置に合わせた後、リューズを１段引き出し位置で、リューズ回転操作を行うと、スイッチ入力回路１０はリューズ１段位置信号Ｓ１０１、回転操作で正転操作信号Ｓ１０３又は逆転操作信号Ｓ１０４を出力し、修正信号発生回路９は正逆転修正信号Ｓ９２を出力する。正逆転修正信号Ｓ９２を入力する基準位置合わせ信号発生回路１６は制御信号Ｓ２９が“Ｈ”であるため１パルス単位の時日基準修正信号Ｓ１６を出力する。
時日基準修正信号Ｓ１６を入力する駆動信号発生回路Ｂ２４は１パルス単位の駆動信号Ｓ２４を出力する。変換機駆動回路Ｂ２５の駆動パルスＳ２４によりステップモータ２６が駆動され、減速輪列系Ｂ２７の時針２８ｃ、日板２８ｄを１パルス単位で修正する。引き続きリューズ回転操作を行い、時針２８ｃを基準位置である１２時位置、日板２８ｄを１日に合わせる。
【００２６】
リューズ２段、１段引き出し位置で、それぞれリューズ回転操作を行うと、基準位置設定回路３２は基準位置合わせ操作が終了したことを記憶し、リューズを通常位置（０段）に戻すことで、基準位置設定回路３２をリセットする。基準位置設定信号Ｓ３２は“Ｌ”になりゲート制御信号Ｓ２９が“Ｌ”になり、基準位置合わせを終了する。同時に計時カウンタである秒カウンタ３〜月・年カウンタ７を初期化するため、針位置とカウンタの内容が一致する。同時に１秒運針動作を開始する。
【００２７】
次は時刻・カレンダ合わせ操作について説明する。
１．リューズ２段引き出し位置にすると、秒針２８ａが１２時位置迄運針する。
２．リューズ回転操作で分を現在分に合わせる。
３．時報の正分でリューズ２段を解除する。
４．リューズ１段、リューズ回転操作で秒針２８ａを現在経年・月に合わせる。
５．プッシュボタン１３ａ操作で時差機能を選択して,１時間単位修正で現在日、時に合わせる。
上記動作を説明すると、リューズ２段引き出し位置でスイッチ入力回路１０はリューズ２段位置信号Ｓ１０２を“Ｈ”にし、秒カウンタ３をリセットする。該秒カウンタ３の秒計時情報Ｓ３を入力する針位置変換回路Ａ１１は新たな分秒針変換情報Ｓ１１を出力し、駆動信号発生回路Ａ２０は差分パルス数を駆動信号Ｓ２０として出力する。変換機駆動回路Ａ２１はステップモータ２２を駆動し、減速輪列系Ａ２３の秒針車に支持された秒針２８ａを帰零（１２時位置に運針）する。分針２８ｂは秒針２８ａに連動して動作する。
【００２８】
この状態（リューズ２段引き出し位置）でリューズ回転操作を行うと、修正信号発生回路９は修正信号Ｓ９１を出力する。分修正信号発生回路１４は制御回路２９のゲート制御信号Ｓ２９が“Ｌ”であるため1分単位の分修正信号Ｓ１４１を出力し、分カウンタ４を１分加算又は減算する。針位置変換回路Ａ１１は新たな分秒針変換情報Ｓ１１を出力し、駆動信号発生回路Ａ２０は差分パルス数６０の駆動信号Ｓ２０を出力する。変換機駆動回路Ａ２１はステップモータ２２を駆動し、減速輪列系Ａ２３の秒車に支持された秒針２８ａは正方向又は逆方向で１周し、分車に支持された分針２８ｂを作動し、１分単位の修正を行う。この方法で分を現在分に合わせる。
【００２９】
一方、時針２８ｃは修正された分計時情報Ｓ４と時計時情報Ｓ５を入力する針位置変換回路Ａ１２で３分単位の時針日板変換情報Ｓ１２に変換され、駆動信号発生回路Ｂ２４は修正された時針日板変換情報Ｓ１２を基に駆動信号Ｓ２４を出力し、変換機駆動回路Ｂ２５を介して、時針２８ｃを３分単位で運針する。分針２８ｂを現在分に合わせたら、時報の正分でリューズ２段を解除すると秒カウンタ３のリセットが解除されカウントを開始し、秒針２８ａが１秒運針を開始する。
【００３０】
次の現在経年・月、現在日、時に合わせる操作はリューズ１段のリューズ回転操作で行う。リューズ１段引き出し位置になると修正信号発生回路９はカレンダ・時差選択信号Ｓ９３にカレンダ選択信号を出力する。針位置変換回路Ａ１１はカレンダ選択信号により、月・年計時情報Ｓ７を秒分針変換情報Ｓ１１として出力する。この信号を受けて駆動信号発生回路Ａ２０は秒針２８ａを直近の経年・月に正転で駆動するパルス数を駆動信号Ｓ２０に出力し、変換機駆動回路Ａ２１はステップモータ２２を駆動し、減速輪列系Ａ２３の秒車に支持された秒針２８ａを正方向で直近の経年・月に作動する。
この状態（リューズ１段引き出し位置）でリューズ回転操作を行うと、修正信号発生回路９は修正信号Ｓ９２を出力する。時月修正信号発生回路１５はカレンダ・時差選択信号Ｓ９３がカレンダ選択信号を出力しているので月年修正信号１５０を出力し、月・経年（４進）カウンタ７をアップ／ダウン修正する。針位置変換回路Ａ１１は新たな分秒針変換情報Ｓ１１を出力し、駆動信号発生回路Ａ２０は差分パルス数の駆動信号Ｓ２０を出力する。変換機駆動回路Ａ２１はステップモータ２２を駆動し、減速輪列系Ａ２３の秒車に支持された秒針２８ａは正方向又は逆方向で作動し、経年・月の修正行い、現在経年・月に合わせる。
【００３１】
最後の現在日、時に合わせる操作はリューズ１段引き出し位置のままでプッシュボタン１３ａ操作を行うと修正信号発生回路９はカレンダ・時差選択信号Ｓ９３に時差選択信号を出力する。駆動信号発生回路Ｂ２４は時差選択信号により時針２８ｃを扇駆動する駆動信号Ｓ２４を出力し、変換機駆動回路Ｂ２５を介して時針２８ｃは扇駆動を行う。同時に針位置変換回路Ａ１１は時差選択信号により、秒分針変換情報Ｓ１１を出力し、秒針２８ａ、分針２８ｂは現在分秒へ移行後１秒運針を行う。この状態でリューズ回転操作を行うと、修正信号発生回路９は修正信号Ｓ９２を出力する。
時月修正信号発生回路１５はカレンダ・時差選択信号Ｓ９３が時差選択信号を出力しているので時日修正信号１５１を出力し、時カウンタ５を１時間単位で修正する。日カウンタ６は時カウンタ５に連動して修正される。
【００３２】
針位置変換回路Ｂ１２は新たな時針日板変換情報Ｓ１２を出力し、駆動信号発生回路Ｂ２４は１時間単位パルス数の駆動信号Ｓ２４を出力する。変換機駆動回路Ｂ２５はステップモータ２２を駆動し、減速輪列系Ｂ２７の時車に支持された時針２８ｃは正方向又は逆方向に１時間分作動する。日板２８ｄは時針２７ｃに連動して作動する。この方法で現在日、時に合わせる。現在日、時を合わせたら、リューズ１段を解除し、通常位置にする。通常位置で修正信号発生回路９はカレンダ・時差選択信号Ｓ９３にカレンダ選択信号の出力を止め、針位置変換回路Ａ１１は分秒針変換情報Ｓ１１を出力し、秒針２８ａ、分針２８ｂは分、秒表示に復帰する。
【００３３】
次はプッシュボタン１３ａを操作して、通常時計状態→受信モニタ→強制受信→０位置確認モードに移行することについて説明する。
プッシュボタン１３ａの操作でスイッチＳＷｅが作動し、スイッチ入力回路１０は操作信号Ｓ１０５を出力し、修正信号発生回路９は機能選択信号Ｓ９０を出力する。機能選択回路８は機能選択信号Ｓ９０により、受信モニタ機能を選択する受信モニタ信号Ｓ８１を出力し、針位置変換回路Ａ１１は前回受信回路３０で受信した判定信号３１（ＮＧ、受信レベルＨ、Ｍ、Ｌ）を針位置に変換した秒分針変換情報Ｓ１１を出力する。
駆動信号発生回路Ａ２０は新たな分秒針変換情報Ｓ１１を入力し、目標針位置まで正転で駆動する差分パルス数を駆動信号Ｓ２０として出力する。変換機駆動回路Ａ２１は駆動信号Ｓ２０に応じた駆動パルスＳ２１を出力し、ステップモータ２２、減速輪列系Ａ２３を介し、正転で運針された秒針２８ａで受信モニタの表示を行う。（図３）
【００３４】
そのままプッシュボタン１３ａを押し続けていると、機能選択回路８は分周信号Ｓ２をカウントし、設定されたカウント値になると強制受信機能を選択する強制受信信号Ｓ８０を出力し、針位置変換回路Ａ１１は針位置を受信（ＲＸ）位置に駆動する秒分針変換情報Ｓ１１を出力する。
駆動信号発生回路Ａ２０は新たな分秒針変換情報Ｓ１１を入力し、目標針位置まで正転で駆動する差分パルス数を駆動信号Ｓ２０として出力する。変換機駆動回路Ａ２１は駆動信号Ｓ２０に応じた駆動パルスＳ２１を出力し、ステップモータ２２、減速輪列系Ａ２３を介し、正転で運針された秒針２８ａで受信中の表示を行う。（図４）
【００３５】
さらに、プッシュボタン１３ａを押し続けていると、
機能選択回路８は再度分周信号Ｓ２をカウントし、設定されたカウント値になると０位置確認機能を選択する０位置確認信号Ｓ８２を出力し、針位置変換回路Ａ１１、針位置変換回路Ｂ１２は秒分の基準位置情報、時日の基準位置情報をそれぞれ秒分針変換情報Ｓ１１、時針日板変換情報Ｓ１２に出力する。
駆動信号発生回路Ａ２０は新たな分秒針変換情報Ｓ１１を入力し、目標針位置までの差分パルス数を駆動信号Ｓ２０として出力する。該駆動信号Ｓ２０は目標針位置迄の到達時間短縮のため正転信号又は逆転信号が選択される。変換機駆動回路Ａ２１は駆動信号Ｓ２０に応じた駆動パルスＳ２１を出力し、ステップモータ２２、減速輪列系Ａ２３を介し、秒針２８ａ、分針２８ｂを基準位置まで駆動する。
一方，駆動信号発生回路Ｂ２４も新たな時日針変換情報Ｓ１２を入力し、目標針位置までの差分パルス数を駆動信号Ｓ２４として出力する。該駆動信号Ｓ２４は目標針位置迄の到達時間短縮のため正転信号又は逆転信号が選択される。変換機駆動回路Ｂ２５は駆動信号Ｓ２４に応じた駆動パルスＳ２５を出力し、ステップモータ２６、減速輪列系Ｂ２７を介し、時針２８ｃ、日板２８ｄを基準位置まで駆動する。
【００３６】
以上、通常時計状態→受信モニタ→強制受信→０位置確認モード移行について説明したが、上記モード移行を制御する機能選択回路８について詳細に説明する。
先ず回路構成を図５に示す。８ａはトグルタイプのフリップフロップ（Ｔ−ＦＦと称す）であり、リューズ通常位置状態のプッシュボタン１３ａの操作で機能を選択する機能選択信号Ｓ９０の立ち上がりで動作し出力端子Ｑ１に交互に“Ｈ”、“Ｌ”を出力する。８ｂはＤタイプのフリップフロップ（Ｄ−ＦＦと称す）であり、Ｔ−ＦＦ８ａの出力をＤ入力とし、後述するタイマＡのＯＵＴ１出力の立ち上がりで動作し出力端子Ｑ２にＤ入力の信号を出力する。８ｃもＤタイプのフリップフロップ（Ｄ−ＦＦと称す）であり、Ｄ−ＦＦ８ｂの出力をＤ入力とし、後述するタイマＡのＯＵＴ２出力の立ち上がりで動作し出力Ｑ３端子にＤ入力の信号を出力する。
８ｄはデコーダであり、Ｔ−ＦＦ８ａの出力端子Ｑ１をＩＮ１、Ｄ−ＦＦ８ｂの出力端子Ｑ２をＩＮ２、Ｄ−ＦＦ８ｃの出力端子Ｑ３をＩＮ３にそれぞれ入力し、ＯＵＴ１、２、３に以下のように信号を出力する。
【表１】
0004885387.tif 000002
【００３７】
8ｍはＤタイプのフリップフロップ（Ｄ−ＦＦと称す）であり、デコーダ８ｄの出力を入力するＯＲ回路８ｇの出力をＤ入力とし、機能選択信号Ｓ９０の立ち上がありで動作し出力ＱにＤ入力の信号を出力する。８ｅは分周信号Ｓ２をカウントするタイマＢであり、プッシュボタン１３ａの操作が無いとき即ち機能選択信号Ｓ９０が“Ｌ”の時にカウントを行い、カウントアップ時ＯＵＴ端子に“Ｈ”を出力する。
８ｆも分周信号Ｓ２をカウントするタイマＡであり、プッシュボタン１３ａの操作が押されている時即ち、反転回路８ｋが“Ｌ”になりカウントを行い、第１のカウントアップ時ＯＵＴ１端子に“Ｈ”を、第２のカウントアップ時ＯＵＴ２端子にそれぞれ“Ｈ”を出力する。８ｊはＯＲ回路であり、Ｄ−ＦＦ８ｍの出力、タイマＢ８ｅの出力を入力し、どちらかが“Ｈ”になるとＴ−ＦＦ８ａ、Ｄ−ＦＦ８ｂ、Ｄ−ＦＦ８ｃをリセットする。
【００３８】
次に上記構成における機能選択回路８の動作を説明する。
システムリセットでＴ−ＦＦ８ａ、Ｄ−ＦＦ８ｂ、Ｄ−ＦＦ８ｃ、Ｄ−ＦＦ８ｍは初期化され、デコーダ８ｄはすべての出力に“Ｌ”を出力する。
機能を選択するためにプッシュボタン１３ａを操作すると機能選択信号Ｓ９０が“Ｈ”になり、Ｔ−ＦＦ８ａは出力端子Ｑ１に“Ｈ”を出力する。デコーダ８ｄはＯＵＴ１端子に“Ｈ”を出力し、受信モニタ機能を選択する。同時にタイマＢ８ｅはリセットされ、タイマＡ８ｆはリセットが解除され分周信号Ｓ２のカウントを開始する。続けてプッシュボタン１３ａを操作しているとタイマＡ８ｆは第１のカウントアップでＯＵＴ１端子に“Ｈ”を出力する。この結果Ｄ−ＦＦ８ｂは出力端子Ｑ２に“Ｈ”を出力し、デコーダ８ｄはＯＵＴ２端子に“Ｈ”を出力し、強制受信機能を選択する。更にプッシュボタン１３ａを押しつづけているとタイマＡ８ｆは第２のカウントアップでＯＵＴ２端子に“Ｈ”を出力する。この結果Ｄ−ＦＦ８ｃは出力端子Ｑ３に“Ｈ”を出力し、デコーダ８ｄはＯＵＴ３端子に“Ｈ”を出力し０位置確認機能を選択する。
【００３９】
次に機能選択回路８が受信モニタ、強制受信、０位置確認機能のどれかを選択している時に通常時計状態へ移行する時の動作について説明する。
機能選択回路８がいずれかの機能を選択し、プッシュボタン１３ａの操作が中断されると、タイマＡ８ｆをリセット状態にし、タイマＢ８ｅのリセットを解除する。ここで再度プッシュボタン１３ａを操作すると、機能選択信号Ｓ９０が再び“Ｈ”になりＤ−ＦＦ８ｍは出力端子Ｑに“Ｈ”を出力し、ＯＲ回路８ｊはＴ−ＦＦ８ａ、Ｄ−ＦＦ８ｂ、Ｄ−ＦＦ８ｃをすべてリセットする。この結果、デコーダ８ｄの出力はすべて“Ｌ”になり、通常状態に移行する。又、プッシュボタン１３ａの操作が無いと、タイマＢ８ｅがタイムアップし、ＯＲ回路８ｊがＴ−ＦＦ８ａ、Ｄ−ＦＦ８ｂ、Ｄ−ＦＦ８ｃをすべてリセットし、同様に通常状態に移行する。
【００４０】
【発明の効果】
上記のごとく本発明によれば、１つのスイッチを押し続けることで連続的に複数の機能を選択できるため操作性に優れ、且つ機能の切り替わり時に秒針が正転方向に駆動して各機能に対応した表示を行うため選択した機能が読みやすく、更に、通常時計状態に復帰した時に分針の遅れを最小限にとどめることができるため、待ち時間を短くした電子時計を供給できる。
【図面の簡単な説明】
【図１】本発明の一実施例である電子時計の外観図１である。
【図２】本発明の一実施例である電子時計の回路ブロック図である。
【図３】本発明の一実施例である電子時計の外観図２である。
【図４】本発明の一実施例である電子時計の外観図３である。
【図５】本発明の一実施例である機能選択回路８のブロック図である。
【符号の説明】
８  機能選択回路
９  修正信号発生回路
１１  針位置変換回路Ａ
１２  針位置変換回路Ｂ
１３  リューズ
１３ｂ  プッシュボタン
１４  分修正信号発生回路
１５  時月修正信号発生回路
１６  基準位置合わせ信号発生回路
２０  駆動信号発生回路Ａ
２１  変換機駆動回路Ａ
２４  駆動信号発生回路Ｂ
２５  変換機駆動回路Ｂ
２８ａ  秒針
２８ｂ  分針
２８ｃ  時針
２８ｄ  日板
３０  受信回路
３２  基準位置設定回路
【図１】
0004885387.tif 000003
【図２】
0004885387.tif 000004
【図３】
0004885387.tif 000005
【図４】
0004885387.tif 000006
【図５】
0004885387.tif 000007